(57)【要約】【課題】本発明の課題は、複数の同形パネルを載置した台座を含む、高信頼性の面状光源を、安価に提供することである。【解決手段】本発明の面状光源は、矩形台座に、複数の同一形状の矩形面発光パネルを配列載置した面状光源において、隣接するパネル間の、一方向間隔Ｄ１を、０．５ｍｍ以上、２０ｍｍ以下で一定とし、かつ、台座端面から最も近いパネルの端面までの、該一方向の距離Ｗ１を、Ｄ１の半分以下としたことを特徴とし、好ましくは、隣接するパネル間の、他方向の間隔Ｄ２を、０．５ｍｍ以上、２０ｍｍ以下で一定とし、かつ、台座端面から最も近いパネルの端面までの他方向の距離Ｗ２が、Ｄ２の半分以下である。【選択図】  図１
2015207375.tif 000002
【特許請求の範囲】
【請求項１】
矩形台座に、複数の同一形状の矩形面発光パネルを配列載置した面状光源において、
隣接するパネル間の、一方向（横方向）の間隔Ｄ１を、０．５ｍｍ以上、２０ｍｍ以下で一定とし、かつ、
台座端面から最も近いパネルの端面までの、該一方向の距離Ｗ１を、Ｄ１の半分以下としたことを特徴とする面状光源。
【請求項２】
隣接するパネル間の、他方向（縦方向）の間隔Ｄ２を、０．５ｍｍ以上、２０ｍｍ以下で一定とし、かつ、
台座端面から最も近いパネルの端面までの他方向の距離Ｗ２を、Ｄ２の半分以下としたことを特徴とする請求項１に記載の面状光源。
【請求項３】
Ｄ１とＤ２とが等しいことを特徴とする請求項２に記載の面状光源。
【請求項４】
前記間隔に相当する部分に、面状光源の法線方向に立設する仕切り部を備える桟であって、着脱可能な桟をはめ込むことができることを特徴とする請求項１〜３のいずれかに記載の面状光源。
【請求項５】
前記桟が、隣り合う複数の連続するパネルに亘って対応する連続桟と、隣接する個別のパネルに対応する個別桟とを含むことを特徴とする請求項４に記載の面状光源。
【請求項６】
前記桟が、前記仕切り部と、前記パネルおよび前記台座の間に挿入可能な基底部とを含むことを特徴とする請求項４、又は５に記載の面状光源。
【請求項７】
隣り合う２つの前記間隔又は距離に相当する部分に挿入可能な基底部を２つ有する取り外し治具を用いて、１個の前記パネルを独立に面状光源の法線方向に取り外すことが可能であることを特徴とする請求項１〜６のいずれかに記載の面状光源。
【発明の詳細な説明】
【技術分野】
【０００１】
本発明は、矩形面発光パネルを配列載置した面状光源に関し、特に、矩形台座上に複数の矩形面発光パネルを配列載置した面状光源に関する。
【背景技術】
【０００２】
近年、白熱灯や蛍光灯に変わる照明光源として有機ＥＬ光源が注目され、多くの研究がなされている。また、テレビに代表されるディスプレイ部材においても液晶方式やプラズマ方式に変わる方式として有機ＥＬ方式が注目されている。
【０００３】
ここで有機ＥＬ光源は、ガラス基板や透明樹脂フィルム等の基材に、有機ＥＬ素子を積層したものである。また、有機ＥＬ素子は、一方又は双方が透光性を有する２つの電極を対向させ、この電極の間に有機化合物を含む発光層を積層したものである。有機ＥＬ素子は、電気的に励起された電子と正孔との再結合のエネルギーによって発光する。有機ＥＬ光源は、自発光デバイスであるため、ディスプレイ材料として使用すると高コントラストの画像を得ることができる。また、発光層の材料を適宜選択することにより、種々の波長の光を発光することができる。また白熱灯や蛍光灯に比べて厚さが極めて薄く、且つ面上に発光するので、設置場所の制約が少ない。
【０００４】
有機ＥＬ光源の代表的な層構成は、ボトムエミッション型と称される構成であり、一般に、ガラス基板に、透明電極層と、機能層と、裏面電極層が積層され、これらが封止部によって封止されたものである。ここで、機能層は、複数の有機化合物を含む薄膜が積層されたものである。代表的な機能層の構成は、正孔注入層、正孔輸送層、発光層、電子輸送層、電子注入層、ブロック層、電荷発生層等を含む構成であり、この中で、発光に寄与する発光層が必須の構成である。このような層構成の中で、対向する電極層及びこれに挟持された機能層について、これらの層の重畳部分の両電極層を含む部分が有機ＥＬ素子であり、両電極層間への電圧の印加により、発光層が発光する。
【０００５】
このような有機ＥＬ光源の応用製品として、矩形面発光パネルを複数配列した場合であっても、隙間が生じるのを防止することで光のむらが生じにくい大型面発光照明器具であって、矩形面発光パネルと、矩形面発光パネルを支持する台座とを備え、矩形面発光パネルの少なくとも一つの端面と、台座の少なくとも一つの端面が実質的に同一面上に位置し、複数の矩形面発光パネルが台座上に設けられた照明器具を提案している。
【先行技術文献】
【特許文献】
【０００６】
【特許文献１】特開２００９−１５２１３７号公報
【発明の概要】
【発明が解決しようとする課題】
【０００７】
本発明は、このような先行技術における問題点を解消するために為されたものであり、パネル毎の繰り返し構造が縦横に並んだ一枚の台座原板から、その繰り返し構造をそのまま利用した矩形台座が複数切り出せ、光源内の非発光面積を抑えつつ、パネルの伸縮に伴う破損の発生を防止できる面状光源を提供することを目的としている。
【０００８】
このような本発明の目的に対して、特許文献１の照明器具は、安価に製造するため台座原板から台座を切り出す場合、切りしろ確保により、台座がパネルより小さめになり、パネルが台座で保護されず損傷する虞があり、また、温度変化によるパネルの伸縮により隣接するパネル同士が干渉し合って損傷する虞があり、さらに、故障時のパネル交換に困難性を伴い、かつ、例えば後述する本発明の好ましい実施形態の如く、簡単に故障したパネルを交換したり、障子の趣の意匠性を付与したりすることが困難であるという問題がある。
【０００９】
以上のことから、顧客希望に合致した、複数の同形パネルを載置した台座を含む、高信頼性の面状光源を、安価に提供する技術が必要とされている。
【課題を解決するための手段】
【００１０】
上述の状況に鑑み、本発明者は、台座に矩形面発光パネルを載置する際には、台座にパネルを固定し、かつ、外部から台座を介してパネルに給電するための接続機構が必要であり、複数の同一形状のパネルを配列載置する場合には、台座のパネル設置面にはこの接続機構に対応した構造が繰り返し形成されている必要がある点と、縦１横２、縦２横１、縦２横２、縦１横３・・・のように、その縦横配列には様々な形式がある点とに注目した。すなわち、一枚の台座原板から複数の、そして様々な形式の台座を切り出して使用することを試みた。そして、このような構成とすることで、安価に、複数の同形パネルを載置した台座を含む、高信頼性の面状光源が提供できると考えた。
【００１１】
このような考えのもと導き出された本発明は、矩形台座２に、複数の同一形状の矩形面発光パネル３を配列載置した面状光源１において、隣接するパネル間３の、一方向（例えば、横方向）の間隔Ｄ１を、０．５ｍｍ以上、２０ｍｍ以下で一定とし、かつ、台座２端面から最も近いパネル３の端面までの、該一方向の距離Ｗ１を、Ｄ１の半分以下としたことを特徴とする面状光源１である。
【００１２】
上記、及び以下の記載において、説明の為に、図１における符号を付して記載するが、この符号の記載により、本発明が何らの制限を受けるものではない。
【００１３】
図１は、本発明の一実施形態における面状光源１の、断面概念図（ａ）、及びその発光面側からみた平面概念図（ｂ）である。
【００１４】
本発明の構成によれば、パネル毎の繰り返し接続構造を有する台座原板から切り出ししろを確保しつつ複数の矩形台座を切り出すことができ、かつ、隣接するパネル間に一定の間隔、および台座端面とパネル端面との間に一定の距離を有するので、パネルの破損を防止しつつ整然とパネルが配列載置された面状光源とすることができる。
【００１５】
また、隣接するパネル３間の、他方向（例えば、縦方向）の間隔Ｄ２を、０．５ｍｍ以上、２０ｍｍ以下で一定とし、かつ、台座２端面から最も近いパネル３の端面までの他方向の距離Ｗ２を、Ｄ２の半分以下とすることが好ましく、一方向だけでなく、他方向においても、本発明のパネル破損防止効果で高信頼性の、また、本発明の複数台座切り出し可能効果で安価な、パネルが整然と面内に配列載置された面状光源とすることができる。
【００１６】
また、Ｄ１とＤ２とを等しくすることが好ましく、より見栄えが良い整然とした面状光源とすることができる。
【００１７】
また、前記間隔に相当する部分に、図２に示すように、面状光源１の法線方向に立設する仕切り部４１を備える桟４（４３，４４）であって、着脱可能な桟４をはめ込むことができるようにすることが好ましい。より好ましくは、さらに、前記距離に相当する部分にも、着脱可能な桟４をはめ込むことができるようにすることである。
【００１８】
図２は、本発明の他の一実施形態における面状光源１の、断面概念図（ａ）、及びその発光面側からみた平面概念図（ｂ）である。
【００１９】
本発明の構成によれば、室内から観察した日の当たった障子の如き趣が得られ、より好ましくは、白色発光の矩形面発光パネル３とした場合であり、さらに好ましくは、矩形面発光パネル３を拡散光源であることに特徴がある有機ＥＬ素子１０を含む有機ＥＬ発光パネルとした場合である。柔らかい光を放射するインテリア照明とすることができる。
【００２０】
また、前記桟４は、隣り合う複数の連続するパネルに亘って対応する連続桟４３と、隣接する個別のパネルに対応する個別桟４４とを含むことが好ましく、パネル３を載置した状態の面状光源１に対して、安価に製造可能な桟４を、簡便に取り付け可能である。図２においては、一方向である横方向に延びる桟４を個別桟４４としており、他方向である縦方向に延びる桟４を連続桟４３としている。
【００２１】
また、前記桟４は、前記仕切り部４１と、前記パネル３および前記台座２の間に挿入可能な基底部４２とを含むようにすることが好ましく、台座２とパネル３との間に形成される空間に、この基底部４２が挿入され、これらによって挟持されることにより、桟４を、接着することなく着脱可能に、本発明の面状光源１に取り付けることができる。
【００２２】
また、図３に示すように、隣り合う２つの前記間隔又は距離に相当する部分に挿入可能な基底部５２を２つ有する取り外し治具５を用いて、１個の前記パネル３を独立に面状光源１の法線方向に取り外すことが可能であることが好ましく、本発明の面状光源１に含まれるパネル３の内の一枚に何らかの不具合を生じた場合に、他のパネル３を取り外すことなく、不具合が生じたパネル３のみを取り外して交換等の処置をすることができ、メンテナンス性に優れた面状光源１となる。
【００２３】
図３は、本発明の他の一実施形態における面状光源１に取り外し治具５を挿入した後、１個の前記パネル３を独立に面状光源１の法線方向に取り外している際の切断面概念図である。
【００２４】
この際、取り外すパネル３が損傷しないように、パネル３は、そのパネル本体の発光面に対して反対側の面を覆うフレーム部材３１を含むことが好ましく、このフレーム部材３１の両端に２つの前記基底部５２がかかるようにされていることがより好ましい。
【発明の効果】
【００２５】
本発明によれば、矩形台座上に複数の矩形面発光パネルを配列載置した面状光源であって、隣接するパネル間に一定の間隔、および台座端面とパネル端面との間に一定の距離を有するので、パネルの破損を防止しつつ整然とパネルが配列載置された面状光源を安価に提供できる。
【図面の簡単な説明】
【００２６】
【図１】本発明の一実施形態における面状光源１の、断面概念図（ａ）、及びその発光面側からみた平面概念図（ｂ）である。
【図２】本発明の他の一実施形態における面状光源１の、断面概念図（ａ）、及びその発光面側からみた平面概念図（ｂ）である。
【図３】本発明の他の一実施形態における面状光源１に取り外し治具５を挿入した後、１個の前記パネル３を独立に面状光源１の法線方向に取り外している際の切断面概念図である。
【図４】図１、図２の本発明の実施形態における面状光源１の部材である、矩形台座２の平面概念図である。
【図５】接続具２１の好ましい一実施形態である。
【図６】は続台２６の好ましい一実施形態である。
【図７】図２の面状光源１の形成途中（個別桟４４取り付け中）の発光面側からみた平面概念図である。
【図８】図２の面状光源１の形成途中（連続桟４３取り付け中）の発光面側からみた平面概念図である。
【発明を実施するための形態】
【００２７】
以下、本発明の実施形態について説明する。なお、本発明は以下の実施形態に限定されるものではなく、当業者の技術常識内で種々変更が可能である。
【００２８】
（面状光源１）
本発明の一実施形態の面状光源１は、図１のように、矩形台座２上に複数かつ同形の矩形面発光パネル３を配列載置してなる。図１（ａ）の断面図の下方が、発光面であり、このように発光面を下方とした状態で天井に取り付けたり、発光面を室内に向けて台座２をほぼ鉛直に起立させた状態で壁面に取り付けたり、あるいは、発光面を上方向に向け床や家具の天板上に設置したりして使用することができる。
【００２９】
面状光源１の、一方向又はこれと直交する他方向の少なくとも一方、より好ましくは両方の方向の、隣接するパネル３間の間隔Ｄを、０．５ｍｍ以上、２０ｍｍ以下で一定とし、かつ、台座２端面から最も近いパネル３の端面までの、該方向の距離Ｗを、Ｄの半分以下とすることが本発明の特徴の一つである。
【００３０】
また、整然と配列されている印象を与え優れた外観とする観点から、両方の方向で前記間隔Ｄは同じであることが好ましく、正方形のパネル外形とすることが好ましく、台座２自体の外形も正方形とすることができる。
【００３１】
さらに、台座２面内における発光面の面積の比率を大きくし、より明るい光源とする観点から、間隔Ｄは、１０ｍｍ以下であることがより好ましく、５ｍｍ以下とすることがさらに好ましく、３ｍｍ以下とすることが特に好ましい。
【００３２】
図２は、本発明の他の一実施形態における面状光源１であり、この実施形態では、上述の図１に係る本発明の一実施形態の面状光源１の特徴を維持しつつ、さらに、意匠性を向上させる目的、あるいは、投光方向を制限する目的で、その発光面であるパネル３載置面のパネル３間に、面状光源１の法線方向に立設する仕切り部４１を備える桟４を取り付けたものである。好ましくは、桟４は面状光源１に対して着脱可能とされる。
【００３３】
この「投光方向を制限する目的」とは、面状光源１を投光器とした場合に、被投光対象に対して面状光源１が目立たないように、即ち、観察者が両者を比較したときに被投光対象の方が明るく見えるような投光器とする目的のことである。
【００３４】
本発明の面状光源１は、好ましくは、図３に示す様に、特定の取り外し治具５を用いて、１個のパネル３を独立に面状光源１の法線方向に取り外すことが可能である。ここで、特定の取り外し治具５とは、隣り合う２つの、パネル３間の間隔、又は台座２の端面と台座２端面から最も近いパネル３の端面までの距離に相当する部分に、各々挿入可能な取り外し治具の基底部５２を２つ有する取り外し治具であり、その材質としては、樹脂や金属、木材等の剛性のある材料を、また、これらを組み合わせて使用することができる。
【００３５】
（矩形台座２）
本発明に係る矩形台座２は、その一方の主面上に複数の矩形面発光パネル３が載置されて、本発明の面状光源１となる部材であり、その材質としては、樹脂や金属、木材等の剛性のある材料を、また、これらを組み合わせて使用することができる。本発明の構成の面状光源１の部材とする場合には、複数の本発明に係る矩形台座２を含む台座原板から切り出して複数矩形台座２とすることが、台座２を安価に製造できるので、好ましい。
【００３６】
矩形台座２には一般に、パネル３を載置固定し、さらには、パネル３に外部から給電するための接続機構が、複数のパネル３に対応して、繰り返し構造として形成される。好ましくは、この接続機構を、図１および図４に示すような、接続具２１とすることである。
【００３７】
図４は、図１、図２の本発明の実施形態における面状光源１の部材である、矩形台座２の平面概念図である。
【００３８】
図４のような縦３枚、横４枚のパネル３の載置が可能な台座２は、縦１横２、縦１横３、縦２横１・・・縦３横３といった各種の本発明の構成の面状光源１の台座２の上述の台座原板として用いることができる。
【００３９】
接続具２１としては、図５および図６に示すものを好ましく例示することができる。
【００４０】
図５および図６に示す接続具２１は、本発明に係る接続具の好ましい一実施形態であり、パネル３を台座２（図示していない。）に載置固定し、かつ、外部から台座２を介してパネル３に給電するための接続具である。図６は接続台２６の好ましい一実施形態である。
【００４１】
この接続具２１は、発光面を有する発光パネル３を台座２等の設置対象面への固定具に接続可能な接続具であって、
前記発光パネル３は、発光素子１０と、前記発光面を有するパネル本体と、前記発光素子１０と電気的に接続された給電端子８２と、前記パネル本体の発光面に対して反対側の面を覆うフレーム部材３１を有し、前記発光面に対して交差する方向に突出した突出部（７１、７２）を少なくとも２つ有し、
前記２つの突出部（７１、７２）は、その側面に突出側係合部が形成されており、
前記接続具２１は、接続台２６と、接続側回路を実装した回路基板２５を備えており、
前記接続台２６は、当該回路基板２５を固定するものであり、台本体と、少なくとも２つの係合片（４８、４９）を有しており、
前記台本体は、給電側貫通孔６２と、少なくとも２つの支持孔（６１、６２）を有し、
前記２つの係合片（４８、４９）は、前記支持孔（６１、６２）の各々に対応して配されるものであって、対応する開口に沿って、台本体に対して立設されており、かつ、薄板状であって、互いに対面し、さらにその面内に壁側係合部（９１，９２）が形成されており
前記２つの突出部（７１、７２）、及び給電側貫通孔６２は、発光パネル３を平面視したときに、発光パネルの中央を中心とした発光パネルと相似形状の領域であって、かつ、発光パネルの面積の１／２の面積となる領域である設置領域内にいずれも収まっており、
前記発光パネル３を接続具２１に取り付ける際に、前記突出部（７１、７２）は、対応する前記支持孔（６１、６２）に挿通させられ、前記突出側係合部は、対応する前記壁側係合部（９１，９２）に係合させられ、かつ、前記給電端子８２は、前記給電側貫通孔６２を挿通して前記接続側回路と物理的に接続されられることで、前記発光パネル３は、前記接続台２１に対して着脱可能であり、かつ、
前記接続具２１は、前記平面視したときに、前記設置領域内に収まっていることを特徴とする接続具である。
【００４２】
このような接続具２１は、矩形面発光パネル３の特徴を活かした、小さく、軽く、かつ、高信頼性の接続具とすることができる。このような観点から、接続具２１は、前記設置領域内に収まっていることが好ましく、より好ましくは、前記設置領域を、発光パネルの面積の１／４の面積となる領域とすることであり、さらに好ましくは、１／８の面積となるようにすることである。
【００４３】
（矩形面発光パネル３）
本発明に係る矩形面発光パネル３は、例えば、その発光面となる側の主面を一方の主面とする透明絶縁基板１１に対して、その他方の主面上に、順に、透明電極層１２を形成し、その上に機能層１３として正孔注入層、正孔輸送層、発光層，電子輸送層，電子注入層を形成し、その上に裏面電極層１４を形成し、このようにすることで有機ＥＬ素子１０を含む構造を形成し、さらにその上に絶縁封止層１５を設けて完成させたものを例示することができる。透明絶縁基板１１の主面に、輝度向上のための光学結合フィルム（ＯＣＦ）を備える矩形面発光パネル３とすることも好ましい実施形態である。
【００４４】
（桟４）
本発明係る桟４は、面状光源の法線方向に立設する仕切り部４１と、パネルおよび台座の間に挿入可能な基底部４２とを備える部材であり、その材料としては、成形した樹脂や金属、木材、竹材等を用いることができるが、安価・簡便に入手する観点から樹脂製のものが好ましい。
【００４５】
桟４として、隣り合う複数の連続するパネルに亘って対応する連続桟４３と、隣接する個別のパネルに対応する個別桟４４とを適宜用いることが好ましい。
【００４６】
（透明絶縁基板１１）
透明絶縁基板１１については、透明性、絶縁性を有していれば特に制限は無く、例えば、ガラス基板やプラスチック基板、フレキシブルなフィルム基板等から適宜用いることができる。中でも、ガラス基板が、難燃性に優れた面状光源とする観点から好ましい。
【００４７】
透明絶縁基板１１の厚みとしては０．０３ｍｍ〜３．０ｍｍ程度が好ましい。この厚み範囲であれば、その取扱いが容易であり、面状光源の薄さや軽さを活かすことができ、さらに、曲げや引っかきに対する強度を付与することができる。
【００４８】
（透明電極層１２）
透明電極層１２の材料は、透明であって、導電性を有していれば、特に限定されるものではなく、例えば、インジウム錫酸化物（ＩＴＯ）、インジウム亜鉛酸化物（ＩＺＯ）、酸化錫（ＳｎＯ2）、酸化亜鉛（ＺｎＯ）等の透明導電性酸化物などが採用される。透明電極層１２は、点灯等において有機ＥＬ素子１０に正孔を供給する陽極（アノード）であることが、特性の高い素子を形成する観点から好ましく、ＩＴＯで形成されていることがより好ましい。
【００４９】
透明電極層１２は、その透明性を維持しつつその層内での電圧降下の発生を防止する観点から、その中に、超薄膜金属層や金属細線を備えるようにすることもできる。
【００５０】
（機能層１３）
機能層１３は、透明電極層１２と裏面電極層１４との間に設けられ、少なくとも一層の有機化合物を含む発光可能な発光層を備えた層である。機能層１３は、主に有機化合物からなる複数の層から構成されている。この機能層１３は、一般的な有機ＥＬ装置に用いられている低分子系色素材料や、共役系高分子材料などの公知のもので形成することができる。また、この機能層１３は、正孔注入層、正孔輸送層、有機発光層、電子輸送層、電子注入層などの複数の層からなる積層多層構造であることが一般的である。
【００５１】
（裏面電極層１４）
裏面電極層１４材料としては、光反射性であって、導電性を有していれば、特に限定されるものではなく、金属、合金、電気伝導性化合物、およびこれらの混合物などを用いることができ、高光反射率かつ低コストで簡単に形成できるので、銀、アルミニウムをが好ましい。
【００５２】
（絶縁封止層１５）
絶縁封止層１５の材質は、透明性、絶縁性及び封止性を有していれば、特に限定されるものではないが、酸素、炭素、窒素の中から選ばれた１種類以上の元素と、ケイ素元素とからなるシリコン合金により形成されていることが好ましく、Ｓｉ−Ｏ、Ｓｉ−Ｎ、Ｓｉ−Ｈ、Ｎ−Ｈ等の結合を含む窒化珪素や酸化珪素、及び両者の中間固溶体である酸窒化珪素であることが特に好ましい。
【００５３】
また、絶縁封止層１５としては、封止性能を高める観点から、多層構造の絶縁封止層を使用することが好ましい。有機ＥＬ素子１０側から乾式法によって形成される第１絶縁封止層と、湿式法によって形成される第２絶縁封止層がこの順に積層されて形成されていることが好ましい。
【００５４】
第１絶縁封止層は、化学気相蒸着によって形成される層であり、さらに詳細にはシランガスやアンモニアガス等を原料としてプラズマＣＶＤ法で成膜される層とすることが好ましい。このような第１透明絶縁封止層は、水分含量が少ない雰囲気下で実施される有機ＥＬ素子１０の形成工程に引き続き成膜できる。
【００５５】
第２絶縁封止層は、液体状又はゲル状の原料を塗布した後、化学反応を介して成膜される層である。第２絶縁封止層は、より詳細には、緻密性を有したシリカを素材としていることが好ましい。また、第２絶縁封止層はポリシラザン誘導体を原料とするのが好ましい。ポリシラザン誘導体を用いてシリカ転化によって第２絶縁封止層を成膜した場合、シリカ転化時に重量増加を生じ、体積収縮が小さい。また、シリカ膜転化時（固化時）に樹脂の耐え得る温度で十分にしかもクラックを生じ難くすることができる。
【００５６】
なお、ここでいうポリシラザン誘導体は、珪素−窒素結合を持つポリマーであり、Ｓｉ−Ｎ、Ｓｉ−Ｈ、Ｎ−Ｈ等からなるＳｉＯ2、Ｓｉ3Ｎ4、及び両者の中間固溶体ＳｉＯｘＮｙ等のセラミック前駆体ポリマーである。また、このポリシラザン誘導体は、Ｓｉと結合する水素部分が一部アルキル基等で置換された誘導体も含む。
【００５７】
絶縁封止層７の平均厚みは、１μｍ以上１０μｍ以下であることが好ましく、２μｍ以上６μｍ以下であることがより好ましい。
【００５８】
絶縁封止層１５の一部を担う第１絶縁封止層の厚みは、１μｍ以上５μｍ以下であることが好ましく、１μｍ以上３μｍ以下であることがより好ましい。
【００５９】
また、絶縁封止層１５の一部を担う第２絶縁封止層の厚みは、１μｍ以上５μｍ以下であることが好ましく、１μｍ以上３μｍ以下であることがより好ましい。
【００６０】
（面状光源１の形成方法）
このような本発明の面状光源１の形成方法について以下説明する。
【００６１】
まず、所望のパネル配列に対応する矩形台座２を、好ましくは台座原板から切り出すことで、準備する。また、これとは別に、本発明に係る矩形発光パネル３を前記パネル配列に必要な枚数準備する。このとき、パネル３としては、図５に示す、発光素子１０（図示せず）と、発光面を有するパネル本体と、前記発光素子１０と電気的に接続された給電端子８２と、前記パネル本体の発光面に対して反対側の面を覆うフレーム部材３１を有し、前記発光面に対して交差する方向に突出した突出部（７１、７２）を少なくとも２つ有し、前記２つの突出部（７１、７２）は、その側面に突出側係合部が形成されているものが好ましい。また、矩形台座２としては、外部から台座２に給電や信号を送るための電線が一括で取り付け可能とされており、かつ、一括で取り付けられた電線が、載置するパネル毎に給電や信号を送ることが可能なようにパネル毎に分割した端子が設けられていることが好ましい。
【００６２】
次に、接続具２１を台座２にパネル配列に対応して設置する。図４はこのようにして載置した状態であり、好ましくは、前記パネル毎に分割した端子が、図５および図６に示す上述した好ましい接続具２１の回路基板２５の接続側回路に電気接続される。このような接続部２１は、台座２に、その回路基板２５の接続側回路が実装されていない面に接着剤を介して接着することで設置可能である。
【００６３】
次に、準備した矩形発光パネル３を接続具２１に設置する。図５および図６に示す上述した好ましい接続具２１を用いることで、パネル３を接続具２１に台座２の方向に押し付けるだけで、このパネルの設置は簡単に実施することができる。このようにして、図１に示す面状光源１が完成する。
【００６４】
続いて、図１に示す面状光源１から図２に示す面状光源１を形成する方法としては、まず、図７に示すように、個別桟４４をパネル３の間に挿入して設置する工程とすることが好ましい。図７は、図２の面状光源１の形成途中（個別桟４４取り付け中）の発光面側からみた平面概念図である。
【００６５】
次に、連続桟４３をパネル３及び個別桟４４の間に挿入して設置する工程とすることが好ましい。図８は、図２の面状光源１の形成途中（連続桟４３取り付け中）の発光面側からみた平面概念図である。このようにして、図２に示す面状光源１が完成する。
【符号の説明】
【００６６】
１  面状光源
２  矩形台座
３  矩形面発光パネル
４  桟
５  取り外し治具
１０  有機ＥＬ素子（積層体）
１１  透明絶縁基板（ガラス基板）
１２  透明電極層
１３  機能層（発光層含む）
１４  裏面電極層
１５  絶縁封止層
２１  接続具
４１  仕切り部
４２  基底部
４３  連続桟
４４  個別桟
５１  取り外し治具仕切り部
５２  取り外し治具基底部
【図４】
2015207375.tif 000003
【図５】
2015207375.tif 000004
【図６】
2015207375.tif 000005
【図１】
2015207375.tif 000006
【図２】
2015207375.tif 000007
【図３】
2015207375.tif 000008
【図７】
2015207375.tif 000009
【図８】
2015207375.tif 000010